(57)【特許請求の範囲】
【請求項１】
複数の育苗箱（３０）を床（５０）上に直線状に並べ、その育苗箱（３０）の床土（Ｆ）に連続して種子（Ｓ）を播く手押式播種機において、その左右の側板（１２，１２）に設けられ、種子（Ｓ）が育苗箱（３０）の両外側に播かれるのを防止する播き幅規制具と兼用させたところの左右の支持具（１３，１３）間に、種子（Ｓ）の下降位置（Ｐ）より後方部分で、ブラシ（１４）を植設した桁（１５）を架設し、ブラシ（１４）の下端を育苗箱（３０）の上縁に合致させ、前記育苗箱（３０）の前壁（３１）上面と後壁（３２）上面に播かれた種子（Ｓ）を前記床土（Ｆ）上に落とすように構成したことを特徴とする播種機。
【請求項２】
複数の育苗箱（３０）を床（５０）上に直線状に並べ、その育苗箱（３０）の床土（Ｆ）に連続して種子（Ｓ）を播く手押式播種機において、その左右の側板（１２，１２）に設けられ、種子（Ｓ）が育苗箱（３０）の両外側に播かれるのを防止する播き幅規制具と兼用させたところの左右の支持具（１３，１３）間に、種子（Ｓ）の下降位置（Ｐ）より後方部分で、ブラシ（１４）を植設した桁（１５）を架設し、ブラシ（１４）の下端を育苗箱（３０）の上縁に合致させ、且つブラシ（１４）の位置を前車輪（１７ａ）と後車輪（１７ｂ）との間に配置し、前記育苗箱（３０）の前壁（３１）上面と後壁（３２）上面に播かれた種子（Ｓ）を前記床土（Ｆ）上に落とすように構成したことを特徴とする播種機。
【発明の詳細な説明】
【０００１】
【発明の属する技術分野】
本発明は、育苗箱の床土に、籾等の種子を播く際に使用する播種機に関するものである。
【０００２】
【従来の技術】
図１を参照して説明する。一般に、発芽直後の植物は雨や風などの気象変動に弱く、病気や害虫などの被害も受けやすい。そのため、こうした時期の植物を集約的に管理し、保護および育成することが農作業上、良質の作物を豊富に収穫するためにきわめて重要である。
【０００３】
こうした点に鑑み、近年では、籾等の種子Ｓを育苗箱３０の床土Ｆに播いて、一定期間育苗する方法が採られている。この育苗箱３０に播種する手段として、従来から、複数の育苗箱３０を直線状に並べ、その直上で播種機４０を走行させながら連続的に籾等の種子Ｓを床土Ｆ上に落とす方法が採られている。
【０００４】
しかし、この従来の播種機４０においては、種子Ｓが連続して落下供給されるので、育苗箱３０の前壁３１上面と後壁３２上面にも不要に播かれてしまう。そのため、播種を完了した後、ほうき等を使って前壁３１と後壁３２の上面に載っている種子Ｓを掃き落として、育苗箱３０内に入れるという面倒な作業を必要としている。従って、この従来の播種機４０を使った播種作業は、実質的な播種と、その後の掃き落とし作業の二行程を必要とするため、非効率的で面倒なものとなっている。
【０００５】
【発明が解決しようとする課題】
解決しようとする課題は、従来の育苗箱３０の床土Ｆに籾等の種子Ｓを播く播種機４０は、種子Ｓを育苗箱３０の前壁３１と後壁３２の上面にも播いてしまうので、それらの種子Ｓを育苗箱３０に入れる作業を必要とし、よって播種の作業効率が悪いことである。
【０００６】
【課題を解決するための手段】
図２乃至図４を参照して説明する。請求項１の発明は、複数の育苗箱３０を床５０上に直線状に並べ、その育苗箱３０の床土Ｆに連続して種子Ｓを播く手押式播種機において、その左右の側板１２，１２に設けられ、種子Ｓが育苗箱３０の両外側に播かれるのを防止する播き幅規制具と兼用させたところの左右の支持具１３，１３間に、種子Ｓの下降位置Ｐより後方部分で、ブラシ１４を植設した桁１５を架設し、ブラシ１４の下端を育苗箱３０の上縁に合致させ、前記育苗箱３０の前壁３１上面と後壁３２上面に播かれた種子Ｓを前記床土Ｆ上に落とすように構成したものである。
【０００７】
請求項２の発明は、複数の育苗箱３０を床５０上に直線状に並べ、その育苗箱３０の床土Ｆに連続して種子Ｓを播く手押式播種機において、その左右の側板１２，１２に設けられ、種子Ｓが育苗箱３０の両外側に播かれるのを防止する播き幅規制具と兼用させたところの左右の支持具１３，１３間に、種子Ｓの下降位置Ｐより後方部分で、ブラシ１４を植設した桁１５を架設し、ブラシ１４の下端を育苗箱３０の上縁に合致させ、且つブラシ１４の位置を前車輪１７ａと後車輪１７ｂとの間に配置し、前記育苗箱３０の前壁３１上面と後壁３２上面に播かれた種子Ｓを前記床土Ｆ上に落とすように構成したものである。
【０００８】
【発明の実施の形態】
本発明に係る播種機１０の一実施形態を、図２乃至図４を参照して説明する。この播種機１０は、複数の育苗箱３０を床５０上に直線状に並べ、その育苗箱３０の床土Ｆに連続して種子Ｓを播く手押式播種機１０である。そして、この播種機１０の左右の側板１２，１２に設けた左右の支持具１３，１３間に、種子Ｓの下降位置Ｐより後方部分で、ブラシ１４を植設した桁１５を架設し、かつ、ブラシ１４の下端を育苗箱３０の上縁に合致させている。この場合、ブラシ１４の位置を前車輪１７ａと後車輪１７ｂとの間に配置するのが望ましい。
【０００９】
なお、本実施形態における播種機１０は、種子Ｓを播くために使用する手押し式のものであり、種子Ｓを収納したホッパー１１の両側面のそれぞれに側板１２，１２を固定し、各側板１２の下端部に前後二つの車輪１７を回転自在に設けている。また、ホッパー１１には、手押し用のハンドル１５を固定している。ホッパー１１内の種子Ｓは、種落機構１８によって、連続的に育苗箱３０の床土Ｆ上に落下するものである。
【００１０】
なお、本実施形態において、桁１５を架設する支持具１３，１３は、下降位置Ｐの両側に取付けられ、種子Ｓが育苗箱３０の両外側に播かれるのを防止する機能を有する播き幅規制具と兼用している。また、ブラシ１４を植設した桁１５は、ブラシ繋ぎ１９，ブラシプレート２０，ブラシ押え２１，およびそれらを結合するボルト２２，蝶ナット２３およびフランジナット２４によって支持具１３，１３に固定することとしている。こうした構成とすることで、このブラシ１４は、桁１５と共に、着脱自在であり、また高さ位置の調節が自在である。
【００１１】
この播種機１０の作用について説明する。直線状に並べた複数の育苗箱３０の床土Ｆに種子Ｓを播くために、本播種機１０を、その車輪１７を育苗箱３０の左右側壁３３の上面を走行させるようにして前進させる。これによって、種落機構１８が作動してホッパー１１内の種子Ｓを連続的に育苗箱３０の床土Ｆ上に播く。
【００１２】
この際、種子Ｓは連続的に播かれるために、直線状に置かれた複数の育苗箱３０の前壁３１上面と後壁３２上面にも播かれることになる。しかし、この播種機１０はブラシ１４を有し、そのブラシ１４は、種子Ｓの下降位置Ｐより後方部分に設けられ、かつ、その下端は育苗箱３０の上縁に合致するように設定されているので、育苗箱３０の前壁３１上面と後壁３２上面に播かれた種子Ｓは、当該ブラシ１４によって前方に押し出されて育苗箱３０の床土Ｆ上に落とされる。
【００１３】
従って、この播種機１０で播かれた種子Ｓは、その全てが育苗箱３０の床土Ｆ上に播かれることになり、従来のように、播種を完了した後、ほうき等で育苗箱３０の前壁３１と後壁３２の上面にある籾Ｓを掃いて育苗箱３０の床土Ｆ上に落とすといった作業を必要としない。
【００１４】
また、ブラシ１４の位置を前車輪１７ａと後車輪１７ｂとの間に配置したときには、育苗箱３０の側壁３３の上面の凸凹がブラシ１４に及ぼす影響を小さくすることが出来る。
【００１５】
【発明の効果】
本発明の播種機１０は、その左右の側板１２，１２に設けた支持具１３，１３間に、種子Ｓの下降位置Ｐより後方で、ブラシ１４を植設した桁１５を架設し、ブラシ１４の下端を育苗箱３０の上縁に合致させたので、播種と同時の一行程で、育苗箱３０の前壁３１と後壁３２の上面に播かれた種子Ｓを育苗箱３０内に送ることができる。これにより、播種作業を効率的に行うことができる。
【図面の簡単な説明】
【図１】従来例に係る播種機を示す側面図である。
【図２】本発明に係る播種機を示す側面図である。
【図３】図２に示す播種機の正面図である。
【図４】図２に示す播種機のブラシ部分を示す分解斜視図である。
【符号の説明】
１０      播種機
１１      ホッパー
１２      側板
１３      支持具
１４      ブラシ
１５      桁
１６      ハンドル
１７ａ    前車輪
１７ｂ    後車輪
１８      種落機構
１９      ブラシ繋ぎ
２０      ブラシプレート
２１      ブラシ押え
２２      ボルト
２３      蝶ナット
２４      フランジナット
３０      育苗箱
３１      前壁
３２      後壁
３３      側壁
４０      播種機
５０      床
Ｐ        下降位置
Ｆ        床土
Ｓ        種子
【図１】
0003564679.tif 000002
【図２】
0003564679.tif 000003
【図３】
0003564679.tif 000004
【図４】
0003564679.tif 000005